Podtech/llm-jp-corpus-v4-ja_patent huggingface dataset:
【手続補正書】
【提出日】令和2年10月15日(2020.10.15)
【手続補正１】
【補正対象書類名】特許請求の範囲
【補正対象項目名】全文
【補正方法】変更
【補正の内容】
【特許請求の範囲】
【請求項１】
第１装飾体と、
前記第１装飾体に対して移動可能な第２装飾体と、
所定の動作パターンで動作可能な可動部材と、を備え、
前記第１装飾体は、所定の表示をなす表示部を有し、
前記表示部は、
前記第２装飾体が第１の位置にあるときよりも第２の位置にあるときの方が遊技者から視認可能な部分が多く、
前記第２装飾体が前記第２の位置にあるときに前記所定の表示を遊技者に視認させるものであり、
前記可動部材は、前記所定の表示が遊技者から視認可能となっているときに、前記所定の動作パターンで動作することがあることを特徴とする遊技機。
【請求項２】
請求項１に記載の遊技機であって、
前記可動部材は、前記第２装飾体に設けられていることを特徴とする遊技機。
【請求項３】
請求項２に記載の遊技機であって、
遊技者が正対する前面部を備え、
前記第１装飾体および前記第２装飾体は、前記前面部に設けられていることを特徴とする遊技機。
【請求項４】
請求項２又は請求項３に記載の遊技機であって、
前記第２装飾体には、前記可動部材とは異なる可動体がさらに設けられており、
前記可動体は、前記第２装飾体が前記第１の位置から前記第２の位置に移動した後で動作することがあり、
前記可動部材は、前記可動体が動作した後で前記所定の動作パターンで動作することがあることを特徴とする遊技機。
【手続補正２】
【補正対象書類名】明細書
【補正対象項目名】０００６
【補正方法】変更
【補正の内容】
【０００６】
本発明の遊技機は、
第１装飾体と、
前記第１装飾体に対して移動可能な第２装飾体と、
所定の動作パターンで動作可能な可動部材と、を備え、
前記第１装飾体は、所定の表示をなす表示部を有し、
前記表示部は、
前記第２装飾体が第１の位置にあるときよりも第２の位置にあるときの方が遊技者から視認可能な部分が多く、
前記第２装飾体が前記第２の位置にあるときに前記所定の表示を遊技者に視認させるものであり、
前記可動部材は、前記所定の表示が遊技者から視認可能となっているときに、前記所定の動作パターンで動作することがあることを特徴とする遊技機である。
【手続補正書】
【提出日】令和2年10月14日(2020.10.14)
【手続補正１】
【補正対象書類名】特許請求の範囲
【補正対象項目名】全文
【補正方法】変更
【補正の内容】
【特許請求の範囲】
【請求項１】
所定条件の成立に基づいて判定を行う判定手段と、
前記判定の結果が特定結果となると、遊技者に有利な特別遊技を実行する特別遊技実行手段と、
前記判定手段が特定結果と判定する判定確率として、複数の判定確率を記憶する判定確率記憶手段と、
設定鍵を挿抜可能な差込部を有し、前記差込部に前記設定鍵を挿入した状態で当該設定鍵を操作して、前記差込部をＯＦＦ位置とＯＮ位置とに操作可能なモード設定錠と、
前記差込部が前記ＯＦＦ位置か前記ＯＮ位置かを判定可能な位置判定手段と、
前記差込部を前記ＯＮ位置に操作することを条件として、前記複数の判定確率のうち所定の判定確率を選択可能な判定確率選択手段と、
前記判定確率選択手段で選択された所定の判定確率を、前記判定手段の判定確率として設定可能な判定確率設定手段と、
電力供給を行う電力供給手段と、を備え、
前記差込部が前記ＯＦＦ位置にあるときに前記設定鍵を挿入可能とされ、
前記設定鍵を挿入して前記差込部を前記ＯＮ位置に操作したとき、当該ＯＮ位置では前記設定鍵を抜くことができないものとされ、前記ＯＮ位置から前記ＯＦＦ位置に操作することで前記設定鍵を抜くことができる構成とする
ことを特徴とする遊技機。
【請求項２】
前記差込部を前記ＯＮ位置に操作して前記判定確率選択手段によって前記所定の判定確率を設定した場合、前記差込部を前記ＯＮ位置から前記ＯＦＦ位置に操作するまで、遊技不能とすることを特徴とする請求項１に記載の遊技機。
【請求項３】
一定周期でカウントするタイマ手段と、
前記タイマ手段のカウント値を記憶するタイマ記憶手段と、を備え、
前記タイマ記憶手段は、前記判定手段の判定確率が変更されたときのカウント値を記憶することを特徴とする請求項１又は請求項２に記載の遊技機。

【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】変更
【補正の内容】
【０００６】
本発明は、前述の事情に鑑みてなされたものであり、判定確率の設定機能を搭載した遊技機において、差込部が、判定確率の設定変更が可能な位置のままとなってしまうのを防止する遊技機を提供するものである。

【手続補正４】
【補正対象書類名】明細書
【補正対象項目名】０００７
【補正方法】変更
【補正の内容】
【０００７】
前述の課題を解決するための第１発明の遊技機は、
所定条件の成立に基づいて判定を行う判定手段と、
前記判定の結果が特定結果となると、遊技者に有利な特別遊技を実行する特別遊技実行手段と、
前記判定手段が特定結果と判定する判定確率として、複数の判定確率を記憶する判定確率記憶手段と、
設定鍵を挿抜可能な差込部を有し、前記差込部に前記設定鍵を挿入した状態で当該設定鍵を操作して、前記差込部をＯＦＦ位置とＯＮ位置とに操作可能なモード設定錠と、
前記差込部が前記ＯＦＦ位置か前記ＯＮ位置かを判定可能な位置判定手段と、
前記差込部を前記ＯＮ位置に操作することを条件として、前記複数の判定確率のうち所定の判定確率を選択可能な判定確率選択手段と、
前記判定確率選択手段で選択された所定の判定確率を、前記判定手段の判定確率として設定可能な判定確率設定手段と、
電力供給を行う電力供給手段と、を備え、
前記差込部が前記ＯＦＦ位置にあるときに前記設定鍵を挿入可能とされ、
前記設定鍵を挿入して前記差込部を前記ＯＮ位置に操作したとき、当該ＯＮ位置では前記設定鍵を抜くことができないものとされ、前記ＯＮ位置から前記ＯＦＦ位置に操作することで前記設定鍵を抜くことができる構成とする
ことを特徴とするものである。

【手続補正５】
【補正対象書類名】明細書
【補正対象項目名】０００８
【補正方法】変更
【補正の内容】
【０００８】
（１）また、第２発明の遊技機は、第１発明の遊技機において、
前記差込部を前記ＯＮ位置に操作して前記判定確率選択手段によって前記所定の判定確率を設定した場合、前記差込部を前記ＯＮ位置から前記ＯＦＦ位置に操作するまで、遊技不能とすることを特徴とするものである。
（２）また、第３発明の遊技機は、第１発明又は第２発明の遊技機において、
一定周期でカウントするタイマ手段と、
前記タイマ手段のカウント値を記憶するタイマ記憶手段と、を備え、
前記タイマ記憶手段は、前記判定手段の判定確率が変更されたときのカウント値を記憶することを特徴とするものである。

【手続補正６】
【補正対象書類名】明細書
【補正対象項目名】０００９
【補正方法】変更
【補正の内容】
【０００９】
本発明の遊技機によれば、差込部が、判定確率の設定変更が可能な位置のままとなってしまうのを防止する遊技機の提供を図ることが可能となる。
【手続補正書】
【提出日】令和2年8月27日(2020.8.27)
【手続補正１】
【補正対象書類名】特許請求の範囲
【補正対象項目名】全文
【補正方法】変更
【補正の内容】
【特許請求の範囲】
【請求項１】
加熱源としての発光体（４）と、人体の接触または近接を検知するタッチセンサ（１２
）とを備えており、
発光体（４）の点灯状態において、タッチセンサ（１２）が人体を検知する検知状態か
ら、人体を検知しない非検知状態になると、発光体（４）が消灯するように構成されてい
ることを特徴とするドライヤー。
【請求項２】
発光体（４）がハロゲンランプである請求項１に記載のドライヤー。
【請求項３】
一端に照射口（９）を有する筒状の本体ケース（１）を備えており、
本体ケース（１）の内部に発光体（４）が配置されて、照射口（９）に正対しており、
本体ケース（１）の外面にタッチセンサ（１２）が配置されている請求項１または２に
記載のドライヤー。
【請求項４】
本体ケース（１）の周方向の全長にわたってタッチセンサ（１２）が配置されている請
求項３に記載のドライヤー。
【請求項５】
本体ケース（１）の内部に配置される送風手段（３）を備えており、
本体ケース（１）の一端に照射口（９）を兼ねる吹出口（８）が形成され、他端に吸込
口（７）が形成されている請求項３または４に記載のドライヤー。
【請求項６】
ユーザーによりオンオフ操作される電源スイッチ（１４）を備えており、
電源スイッチ（１４）がオフ状態のときに、タッチセンサ（１２）が人体を検知しても
、発光体（４）は点灯しないように構成されている請求項１から５のいずれかひとつに記
載のドライヤー。
【請求項７】
発光体（４）の消灯後に、電源スイッチ（１４）がオン操作されないまま、タッチセン
サ（１２）が人体を再検知しても、発光体（４）は点灯しないように構成されている請求
項６に記載のドライヤー。
【請求項８】
発光体（４）の消灯後に、電源スイッチ（１４）がオン操作されて、かつ、タッチセン
サ（１２）が人体を再検知すると、発光体（４）が点灯するように構成されている請求項
７に記載のドライヤー。
【請求項９】
タッチセンサ（１２）が人体を検知する状態で、電源スイッチ（１４）がオン操作され
て初めて発光体（４）が点灯するように構成されている請求項６から８のいずれかひとつ
に記載のドライヤー。
【請求項１０】
発光体（４）を収容する本体ケース（１）の外面に、電源スイッチ（１４）の操作部（
１５）が配置されており、
操作部（１５）がタッチセンサ（１２）を構成する請求項６から９のいずれかひとつに
記載のドライヤー。
【請求項１１】
発光体（４）の消灯の時点から計時を開始するタイマー（６５）を備えており、
計時を開始してからの経過時間（Ｔ）が所定の待機時間（Ｔ１）に達する前に、タッチ
センサ（１２）が人体を再検知すると、発光体（４）が点灯するように構成されており、
経過時間（Ｔ）が待機時間（Ｔ１）に達してから、タッチセンサ（１２）が人体を再検
知しても、発光体（４）は点灯しないように構成されている請求項６に記載のドライヤー
。
【手続補正書】
【提出日】令和2年10月19日(2020.10.19)
【手続補正１】
【補正対象書類名】特許請求の範囲
【補正対象項目名】全文
【補正方法】変更
【補正の内容】
【特許請求の範囲】
【請求項１】
水道水に含まれる成分が固化した水垢を除去する水垢除去方法であって、
前記水垢を軟化させる成分を含有する液剤をシートに塗布する塗布工程と、
前記水垢が付着している部分に前記シートを貼付する貼付工程と、
前記シートに塗布された前記液剤と前記水垢とを反応させて軟化させる軟化工程と、
をその順で含む、ことを特徴とする水垢除去方法。
【請求項２】
前記成分には、塩酸と、シュウ酸と、一水素二フッ化アンモニウムと、フッ化アンモニウムとのうち少なくとも１の成分が含まれる、
請求項１に記載の水垢除去方法。
【請求項３】
前記成分には、スルファミン酸と、塩酸と、有機酸と、無機酸とが含まれる、
請求項１に記載の水垢除去方法。
【請求項４】
前記貼付工程において、前記シートを貼付しておく時間は３分間である、
請求項１乃至３のうちいずれか１項に記載の水垢除去方法。
【請求項５】
前記シートは、１種類以上の素材からなる複数の層で構成されている、
請求項１乃至４のうちいずれか１項に記載の水垢除去方法。
【請求項６】
前記シートの表面には、エンボス加工が施されている、
請求項１乃至５のうちいずれか１項に記載の水垢除去方法。
【請求項７】
請求項１乃至６のうちいずれか１項に記載の水垢除去方法で用いられる液剤。
【請求項８】
請求項１乃至６のうちいずれか１項に記載の水垢除去方法で用いられるシート。
【請求項９】
請求項７に記載の前記液剤と、請求項８に記載の前記シートとのセット。
【手続補正書】
【提出日】令和2年8月5日(2020.8.5)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
複数の設定値のうちのいずれかの設定値に設定可能な設定手段と、
設定されている設定値にもとづいて前記有利状態に関連する所定の制御を実行可能な遊技制御手段と、を備え、
前記有利状態に関連する所定の制御期間の平均の長さは、設定されている設定値に応じて異なる
ことを特徴とする遊技機。
【手続補正２】
【補正対象書類名】明細書
【補正対象項目名】０００２
【補正方法】変更
【補正の内容】
【０００２】
設定機能付きのパチンコ遊技機が提案されている（例えば特許文献１参照）。
【手続補正３】
【補正対象書類名】明細書
【補正対象項目名】０００３
【補正方法】変更
【補正の内容】
【０００３】
【特許文献１】特開２０１０−２００９０２号公報
【手続補正４】
【補正対象書類名】明細書
【補正対象項目名】０００４
【補正方法】変更
【補正の内容】
【０００４】
しかしながら、特許文献１に記載されたような遊技機において、有利度が高い設定では、射幸性が高くなりすぎてしまうおそれがある。
【手続補正５】
【補正対象書類名】明細書
【補正対象項目名】０００５
【補正方法】変更
【補正の内容】
【０００５】
この発明は、上記の実状に鑑みてなされたものであり、射幸性が高くなりすぎてしまうことを防止することができる遊技機を提供することを目的とする。
【手続補正６】
【補正対象書類名】明細書
【補正対象項目名】０００６
【補正方法】変更
【補正の内容】
【０００６】
本発明による遊技機は、遊技者にとって有利な有利状態（例えば、大当り遊技状態など）に制御可能な遊技機（例えば、パチンコ遊技機１）であって、
複数の設定値（例えば、設定値１〜設定値３）のうちのいずれかの設定値に設定可能な設定手段（例えば、ＣＰＵ１０３が設定変更処理を実行する部分など）と、
設定されている設定値にもとづいて前記有利状態に関連する所定の制御を実行可能な遊技制御手段（例えば、ＣＰＵ１０３が図５に示すプロセス制御処理を実行する部分など）と、を備え、
前記有利状態に関連する所定の制御期間（例えば、大当り遊技中のファンファーレ期間やインターバル期間、エンディング期間など）の平均の長さは、設定されている設定値に応じて異なる（例えば、図２０−５参照）
ことを特徴とする。
この特徴によれば、射幸性が高くなりすぎてしまうことを防止することができる。
（１）また、遊技機は、
遊技者にとって有利な有利状態（例えば大当り遊技状態）に制御可能な遊技機（例えばパチンコ遊技機１）であって、
前記有利状態に制御されることを示唆する示唆演出（例えばリーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、を備え、
前記タイトル報知手段は、前記示唆演出の開始から所定期間経過したときに当該示唆演出に対応したタイトルを報知可能である（例えば図９（Ｄ）、（Ｆ））。
このような構成によれば、演出効果を高めることができる。
【手続補正書】
【提出日】令和2年10月15日(2020.10.15)
【手続補正１】
【補正対象書類名】特許請求の範囲
【補正対象項目名】全文
【補正方法】変更
【補正の内容】
【特許請求の範囲】
【請求項１】
遊技者に有利な特別遊技を行うか否かの判定を行う判定手段と、
前記特別遊技の後に、第１特定遊技状態で遊技を制御するときと、前記第１特定遊技状態と異なる第２特定遊技状態で遊技を制御するときと、がある遊技状態制御手段と、
所定の演出を実行する演出実行手段と、を備え、
前記遊技状態制御手段は、
前記第２特定遊技状態において所定条件が成立すると、当該第２特定遊技状態を終了させることがあり、
前記第１特定遊技状態において前記所定条件が成立しても、当該第１特定遊技状態を終了させずに継続することがあり、
前記判定にて前記特別遊技を行うと判定された場合に前記演出実行手段が実行可能な演出として、示唆演出があり、
前記演出実行手段は、
前記第１特定遊技状態で遊技が制御されているときに、特定演出モードで演出を実行可能であり、
前記第２特定遊技状態で遊技が制御されているときに、前記特定演出モードで演出を実行可能であり、
前記第１特定遊技状態において前記特定演出モードで演出を実行しているときに前記所定条件が成立する後で、継続して当該特定演出モードで演出を実行可能であり、
前記第１特定遊技状態において前記特定演出モードで演出を実行しているときであって前記所定条件が成立する前と、前記所定条件が成立した後とで、前記示唆演出の少なくとも一部の演出態様が共通する場合があることを特徴とする遊技機。
【手続補正２】
【補正対象書類名】明細書
【補正対象項目名】０００６
【補正方法】変更
【補正の内容】
【０００６】
本発明に係る遊技機は、
遊技者に有利な特別遊技を行うか否かの判定を行う判定手段と、
前記特別遊技の後に、第１特定遊技状態で遊技を制御するときと、前記第１特定遊技状態と異なる第２特定遊技状態で遊技を制御するときと、がある遊技状態制御手段と、
所定の演出を実行する演出実行手段と、を備え、
前記遊技状態制御手段は、
前記第２特定遊技状態において所定条件が成立すると、当該第２特定遊技状態を終了させることがあり、
前記第１特定遊技状態において前記所定条件が成立しても、当該第１特定遊技状態を終了させずに継続することがあり、
前記判定にて前記特別遊技を行うと判定された場合に前記演出実行手段が実行可能な演出として、示唆演出があり、
前記演出実行手段は、
前記第１特定遊技状態で遊技が制御されているときに、特定演出モードで演出を実行可能であり、
前記第２特定遊技状態で遊技が制御されているときに、前記特定演出モードで演出を実行可能であり、
前記第１特定遊技状態において前記特定演出モードで演出を実行しているときに前記所定条件が成立する後で、継続して当該特定演出モードで演出を実行可能であり、
前記第１特定遊技状態において前記特定演出モードで演出を実行しているときであって前記所定条件が成立する前と、前記所定条件が成立した後とで、前記示唆演出の少なくとも一部の演出態様が共通する場合があることを特徴とする。
【手続補正書】
【提出日】令和2年10月15日(2020.10.15)
【手続補正１】
【補正対象書類名】特許請求の範囲
【補正対象項目名】全文
【補正方法】変更
【補正の内容】
【特許請求の範囲】
【請求項１】
遊技者に有利な特別遊技を行う特別遊技実行手段と、
前記特別遊技の後に、第１特定遊技状態で遊技を制御するときと、前記第１特定遊技状態と異なる第２特定遊技状態で遊技を制御するときと、がある遊技状態制御手段と、
所定の演出を実行する演出実行手段と、を備え、
前記遊技状態制御手段は、
前記第２特定遊技状態において所定条件が成立すると、当該第２特定遊技状態を終了させることがあり、
前記第１特定遊技状態において前記所定条件が成立しても、当該第１特定遊技状態を終了させずに継続することがあり、
前記演出実行手段は、
前記第１特定遊技状態で遊技が制御されているときに、第１演出モードで前記演出を実行するときと、前記第１演出モードとは異なる第２演出モードで前記演出を実行するときと、があり、
前記第２特定遊技状態で遊技が制御されているときに、前記第１演出モードから前記第２演出モードに移行させることはないが、前記第２演出モードで前記演出を実行するときがあり、
前記第１特定遊技状態で遊技が制御され且つ前記第２演出モードで前記演出を実行しているときに前記所定条件が成立した場合、その後も継続して前記第２演出モードで前記演出を実行することがあることを特徴とする遊技機。
【手続補正２】
【補正対象書類名】明細書
【補正対象項目名】０００６
【補正方法】変更
【補正の内容】
【０００６】
本発明に係る遊技機は、
遊技者に有利な特別遊技を行う特別遊技実行手段と、
前記特別遊技の後に、第１特定遊技状態で遊技を制御するときと、前記第１特定遊技状態と異なる第２特定遊技状態で遊技を制御するときと、がある遊技状態制御手段と、
所定の演出を実行する演出実行手段と、を備え、
前記遊技状態制御手段は、
前記第２特定遊技状態において所定条件が成立すると、当該第２特定遊技状態を終了させることがあり、
前記第１特定遊技状態において前記所定条件が成立しても、当該第１特定遊技状態を終了させずに継続することがあり、
前記演出実行手段は、
前記第１特定遊技状態で遊技が制御されているときに、第１演出モードで前記演出を実行するときと、前記第１演出モードとは異なる第２演出モードで前記演出を実行するときと、があり、
前記第２特定遊技状態で遊技が制御されているときに、前記第１演出モードから前記第２演出モードに移行させることはないが、前記第２演出モードで前記演出を実行するときがあり、
前記第１特定遊技状態で遊技が制御され且つ前記第２演出モードで前記演出を実行しているときに前記所定条件が成立した場合、その後も継続して前記第２演出モードで前記演出を実行することがあることを特徴とする。
【手続補正書】
【提出日】令和2年8月6日(2020.8.6)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
可変表示に関する情報を保留情報として記憶可能な保留記憶手段と、
複数の設定値のうちいずれかの設定値に設定可能な設定手段と、
設定された設定値に応じて異なる割合により前記有利状態に制御可能な遊技制御手段と、
電力供給の開始の際に遊技機の初期化に関する第１動作及び該第１動作とは異なる第２動作が検出されたことに基づいて、前記有利状態に制御される確率に関する設定値の設定を許可するための設定許可状態に制御可能な設定許可制御手段と、
電力供給の開始の際に前記第１動作が検出されず前記第２動作が検出されたことに基づいて、設定された設定値を確認するための設定確認状態に制御可能な設定確認制御手段と、を備え、
前記設定許可状態に対応して前記保留情報を含む情報が初期化される一方で、前記設定確認状態に対応して前記保留情報を含む情報が初期化されない、
ことを特徴とする遊技機。
【手続補正２】
【補正対象書類名】明細書
【補正対象項目名】０００２
【補正方法】変更
【補正の内容】
【０００２】
遊技者にとっての有利度が異なる複数の設定値のうちのいずれかの設定値に設定可能に構成され、設定された設定値にもとづいて有利状態の制御を実行可能に構成されたパチンコ遊技機として、例えば、特許文献１に記載されたものがある。
【手続補正３】
【補正対象書類名】明細書
【補正対象項目名】０００３
【補正方法】変更
【補正の内容】
【０００３】
【特許文献１】特開２０１０−２００９０２号公報
【手続補正４】
【補正対象書類名】明細書
【補正対象項目名】０００４
【補正方法】変更
【補正の内容】
【０００４】
しかしながら、特許文献１に記載の遊技機にあっては、設定値の変更作業に支障が生じるおそれがある。
【手続補正５】
【補正対象書類名】明細書
【補正対象項目名】０００５
【補正方法】変更
【補正の内容】
【０００５】
この発明は、上記の実状に鑑みてなされたものであり、設定値の変更作業に支障が生じることを防止できる遊技機を提供することを目的とする。
【手続補正６】
【補正対象書類名】明細書
【補正対象項目名】０００６
【補正方法】変更
【補正の内容】
【０００６】
（１）上記目的を達成するため、本願発明に係る遊技機は、
可変表示を行い、遊技者にとって有利な有利状態（例えば大当り遊技状態）に制御可能な遊技機（例えばパチンコ遊技機１）であって、
可変表示に関する情報を保留情報として記憶可能な保留記憶手段と、
複数の設定値のうちいずれかの設定値に設定可能な設定手段と、
設定された設定値に応じて異なる割合により前記有利状態に制御可能な遊技制御手段と、
電力供給の開始の際に遊技機の初期化に関する第１動作及び該第１動作とは異なる第２動作が検出されたことに基づいて、前記有利状態に制御される確率に関する設定値の設定を許可するための設定許可状態に制御可能な設定許可制御手段と、
電力供給の開始の際に前記第１動作が検出されず前記第２動作が検出されたことに基づいて、設定された設定値を確認するための設定確認状態に制御可能な設定確認制御手段と、を備え、
前記設定許可状態に対応して前記保留情報を含む情報が初期化される一方で、前記設定確認状態に対応して前記保留情報を含む情報が初期化されない。
このような構成によれば、設定値の変更作業に支障が生じることを防止できる。
【手続補正書】
【提出日】令和2年10月15日(2020.10.15)
【手続補正１】
【補正対象書類名】特許請求の範囲
【補正対象項目名】全文
【補正方法】変更
【補正の内容】
【特許請求の範囲】
【請求項１】
遊技者に有利な特別遊技を行うか否かの判定を行う判定手段と、
前記特別遊技の後に、第１特定遊技状態で遊技を制御するときと、前記第１特定遊技状態と異なる第２特定遊技状態で遊技を制御するときと、がある遊技状態制御手段と、
所定の演出を実行する演出実行手段と、を備え、
前記遊技状態制御手段は、
前記第２特定遊技状態において所定条件が成立すると、当該第２特定遊技状態を終了させることがあり、
前記第１特定遊技状態において前記所定条件が成立しても、当該第１特定遊技状態を終了させずに継続することがあり、
前記判定にて前記特別遊技を行うと判定された場合に前記演出実行手段が実行可能な演出として、示唆演出があり、
前記示唆演出の演出態様には、第１演出態様と第２演出態様があり、
前記演出実行手段は、前記第１特定遊技状態の前記所定条件が成立する前は前記示唆演出を前記第１演出態様で実行可能であり、前記第１特定遊技状態の前記所定条件が成立した後は前記示唆演出を前記第２演出態様で実行可能であることを特徴とする遊技機。
【手続補正２】
【補正対象書類名】明細書
【補正対象項目名】０００６
【補正方法】変更
【補正の内容】
【０００６】
本発明に係る遊技機は、
遊技者に有利な特別遊技を行うか否かの判定を行う判定手段と、
前記特別遊技の後に、第１特定遊技状態で遊技を制御するときと、前記第１特定遊技状態と異なる第２特定遊技状態で遊技を制御するときと、がある遊技状態制御手段と、
所定の演出を実行する演出実行手段と、を備え、
前記遊技状態制御手段は、
前記第２特定遊技状態において所定条件が成立すると、当該第２特定遊技状態を終了させることがあり、
前記第１特定遊技状態において前記所定条件が成立しても、当該第１特定遊技状態を終了させずに継続することがあり、
前記判定にて前記特別遊技を行うと判定された場合に前記演出実行手段が実行可能な演出として、示唆演出があり、
前記示唆演出の演出態様には、第１演出態様と第２演出態様があり、
前記演出実行手段は、前記第１特定遊技状態の前記所定条件が成立する前は前記示唆演出を前記第１演出態様で実行可能であり、前記第１特定遊技状態の前記所定条件が成立した後は前記示唆演出を前記第２演出態様で実行可能であることを特徴とする。
【手続補正書】
【提出日】令和2年10月9日(2020.10.9)
【手続補正１】
【補正対象書類名】特許請求の範囲
【補正対象項目名】全文
【補正方法】変更
【補正の内容】
【特許請求の範囲】
【請求項１】
１枚の金属板材から形成され、ねじが締結されることで被支持部材を支持可能な支持体であって、
前記被支持部材を支持する支持面と、バーリング加工によって形成された第１孔部と、前記被支持部材を固定するためのねじが螺合されるように前記第１孔部の内周面に形成される雌ねじ部と、を含む第１板部と、
一方の面が前記第１板部の前記支持面と反対側の面に接触するように、前記第１板部に対してヘミング加工によって折り曲げられた第２板部と、
前記第２板部の他方の面に対して略直角に折り曲げられた第３板部と、
前記雌ねじ部に螺合されるねじが前記第２板部と前記第３板部とに干渉しないように、前記第２板部と前記第３板部とにまたがって形成された孔部と、を有し、
前記第２板部と前記第３板部との間の折り曲げ部は、前記第３板部の板厚方向において前記雌ねじ部の呼び径の範囲内に位置することを特徴とする支持体。
【請求項２】
前記第２板部と前記第３板部との間の折り曲げ部は、前記第３板部の板厚方向において前記雌ねじ部の中心と同じ位置で折り曲げられていることを特徴とする請求項１に記載の支持体。
【請求項３】
前記第３板部は、前記金属板材の基部に対して略直角に折り曲げられることで形成されていることを特徴とする請求項１または２に記載の支持体。
【請求項４】
前記第３の板部と前記基部との間の折り曲げ部は、前記第１板部の板厚方向において前記第１板部の投影面の外側において前記基部に対して折り曲げ加工することで形成されていることを特徴とする請求項３に記載の支持体。
【請求項５】
前記第１板部と前記第２板部との間の折り曲げ部が延びる方向と、前記第２板部と前記第３板部との間の折り曲げ部が延びる方向とが平行となるように、折り曲げられていることを特徴とする請求項１乃至４のいずれか１項に記載の支持体。
【請求項６】
前記第２板部と前記第３板部との間の折り曲げ部が延びる方向と、前記第３の板部と前記基部との間の折り曲げ部が延びる方向とが平行となるように、折り曲げられていることを特徴とする請求項１乃至５のいずれか１項に記載の支持体。
【請求項７】
前記第１板部と、前記第２板部と、前記第３板部とは、前記金属板材を切り欠いて一体的に形成されることを特徴とする請求項１乃至６のいずれか１項に記載の支持体。
【請求項８】
前記第２板部と前記第３板部との間の折り曲げ部は、前記第１板部に対して、前記雌ねじ部を挟んだ直線上に接触することを特徴とする請求項１乃至７のいずれか１項に記載の支持体。
【請求項９】
前記第２板部は、前記第１板部に対して前記雌ねじ部を避けて接触するように、前記第２孔部が形成されていることを特徴とする請求項１乃至８のいずれか１項に記載の支持体。
【請求項１０】
前記第２板部と前記第３板部との間の折り曲げ部は、前記第１板部に対して前記第３板部が直角となるように曲げ加工によって形成されていることを特徴とする請求項１乃至９のいずれか１項に記載の支持体。
【請求項１１】
前記雌ねじ部は、前記第１板部を前記第１面側からバーリング加工することで形成されていることを特徴とする請求項１乃至１０のいずれか１項に記載の支持体。
【請求項１２】
前記雌ねじ部は、前記第１板部を前記第２面側からバーリング加工することで形成されていることを特徴とする請求項１乃至１０のいずれか１項に記載の支持体。
【請求項１３】
記録材に画像を形成する画像形成手段と、
請求項１乃至１２のいずれか１項に記載の支持体を有する画像形成装置。
【請求項１４】
前記画像形成装置の制御を行う制御基板と、
前記制御基板を覆うカバー部材と、を有し、
前記カバー部材は、前記ねじによって前記雌ねじ部に固定されることを特徴とする請求項１３に記載の支持体を有する画像形成装置。
【請求項１５】
シートを搬送する搬送手段と、
請求項１乃至１２のいずれか１項に記載の支持体を有するシート搬送装置。
【請求項１６】
シートに処理を行うシート処理手段と、
請求項１乃至１２のいずれか１項に記載の支持体を有するシート処理装置。
【請求項１７】
画像を読み取る読取手段と、
請求項１乃至１２のいずれか１項に記載の支持体を有する画像読取装置。
【手続補正２】
【補正対象書類名】明細書
【補正対象項目名】０００９
【補正方法】変更
【補正の内容】
【０００９】
本発明に係る支持体は、１枚の金属板材から形成され、ねじが締結されることで被支持部材を支持可能な支持体であって、前記被支持部材を支持する支持面と、バーリング加工によって形成された第１孔部と、前記被支持部材を固定するためのねじが螺合されるように前記第１孔部の内周面に形成される雌ねじ部と、を含む第１板部と、一方の面が前記第１板部の前記支持面と反対側の面に接触するように、前記第１板部に対してヘミング加工によって折り曲げられた第２板部と、前記第２板部の他方の面に対して略直角に折り曲げられた第３板部と、前記雌ねじ部に螺合されるねじが前記第２板部と前記第３板部とに干渉しないように、前記第２板部と前記第３板部とにまたがって形成された孔部と、を有し、前記第２板部と前記第３板部との間の折り曲げ部は、前記第３板部の板厚方向において前記雌ねじ部の呼び径の範囲内に位置することを特徴とする。
【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
雨水ポンプ所の沈砂池に流入するアンモニア性窒素を含有する雨天時下水に、水中で次亜塩素酸イオン（ＯＣｌ−）を発生する薬剤（Ａ）と、水中で臭化物イオン（Ｂｒ−）を発生する薬剤（Ｂ）と、を添加して前記雨天時下水中の大腸菌及び大腸菌群を殺菌するアンモニア性窒素含有雨天時下水の消毒方法であって、前記雨天時下水中のアンモニア性窒素濃度に応じて、前記薬剤（Ａ）中Ｃｌと、前記薬剤（Ｂ）中Ｂｒとのモル比を調節して、前記薬剤（Ａ）及び前記薬剤（Ｂ）を前記雨天時下水に添加することを特徴とする方法。
【請求項２】
前記雨天時下水中のアンモニア性窒素濃度が３０ｍｇ／Ｌ以下の場合には、前記薬剤（Ａ）中Ｃｌと、前記薬剤（Ｂ）中Ｂｒとのモル比がＢｒ／Ｃｌ＜１．０となる量で前記薬剤（Ａ）及び前記薬剤（Ｂ）を前記雨天時下水に添加することを特徴とする請求項１に記載の方法。
【請求項３】
前記薬剤（Ａ）は、次亜塩素酸塩、ジクロロイソシアヌル酸またはその塩、トリクロロイソシアヌル酸またはその塩、及び次亜塩素酸カルシウム（さらし粉）から選択される１種以上を含み、
前記薬剤（Ｂ）は、臭化ナトリウム、臭化カリウム、臭化アンモニウム、及び臭化カルシウムから選ばれる１種以上を含む、ことを特徴とする請求項１又は２に記載の方法。
【請求項４】
前記薬剤（Ａ）及び前記薬剤（Ｂ）は、前記雨天時下水に添加する前には反応させないことを特徴とする請求項１〜３のいずれかに記載の方法。
【請求項５】
前記薬剤（Ａ）及び前記薬剤（Ｂ）は、固体として前記雨天時下水に添加される、ことを特徴とする請求項１〜４のいずれかに記載の方法。
【請求項６】
前記薬剤（Ａ）及び前記薬剤（Ｂ）は、それぞれ別個の溶液として前記雨天時下水に添加される、ことを特徴とする請求項１〜４のいずれかに記載の方法。
【請求項７】
前記薬剤（Ａ）及び前記薬剤（Ｂ）を含む混合溶液として前記雨天時下水に添加する、ことを特徴とする請求項１〜３のいずれかに記載の方法。
【手続補正書】
【提出日】令和2年7月20日(2020.7.20)
【手続補正１】
【補正対象書類名】明細書
【補正対象項目名】００２９
【補正方法】変更
【補正の内容】
【００２９】
内側面１０ｄと外側面１１ｂとの間隔には一定の自由度がある。具体的には、内側面１０ｄと外側面１１ｂとが当接する状態から、外側面１１ｂと内側面１１ｃとの厚み方向の長さがレール２１の底面２１ａから張出部２１ｃまでの長さ、若しくはレール２２の底面２２ａから張出部２２ｃまでの長さよりも大きくなる状態まで変更させることができる。したがって第１のバー１０と第２のバー１１が相互に分離しないように結合された状態で、第１のバー１０と第２のバー１１をその厚み方向に相対的に移動させることができる。
【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
被写体像を結像させる撮像光学系により結像された被写体像を撮像する撮像手段を保持する保持手段と、
前記保持手段を２軸方向に回転させる回転手段と、
装置の振れを検出する振れ検出手段の出力と、前記回転手段を駆動することにより、装置の振れに起因する前記撮像手段の像面上での像ブレを補正する第１の像ブレ補正手段の動き量とに基づいて、前記第１の像ブレ補正手段により像ブレ補正を行った後の像ブレの補正残り量を算出する算出手段と、
前記第１の像ブレ補正手段とは異なる方法で、前記像ブレの補正残り量を補正する第２の像ブレ補正手段と、
前記回転手段の回転角度と、前記像ブレの補正残り量とに基づいて、前記第２の像ブレ補正手段による、前記撮像手段の像面上での縦横方向の像ブレの補正可能範囲と、前記像面上での回転方向の像ブレの補正可能範囲との割り当てを変更する変更手段と、
を備えることを特徴とする像ブレ補正装置。
【請求項２】
前記像面上の縦横方向の像ブレの補正量は、被写体像の並進方向の像ブレを補正するための補正量、あおり成分を補正するための補正量、縦横のローリングシャッタ歪を補正するための補正量の少なくとも１つを含むことを特徴とする請求項１に記載の像ブレ補正装置。
【請求項３】
前記像面上の回転方向の像ブレの補正量は、被写体像の回転方向の像ブレの補正量、回転ローリングシャッタ歪を補正するための補正量の少なくとも１つを含むことを特徴とする請求項１または２に記載の像ブレ補正装置。
【請求項４】
前記第２の像ブレ補正手段は、前記撮像手段からの画像信号に対して画像処理を行うことにより、電子的に像ブレを補正することを特徴とする請求項１乃至３のいずれか１項に記載の像ブレ補正装置。
【請求項５】
前記第２の像ブレ補正手段は、前記回転手段が回転可能な２軸以外の軸についての振れを主に補正することを特徴とする請求項４に記載の像ブレ補正装置。
【請求項６】
前記第２の像ブレ補正手段は、前記撮像手段を移動させることにより像ブレを補正することを特徴とする請求項１乃至３のいずれか１項に記載の像ブレ補正装置。
【請求項７】
前記第２の像ブレ補正手段は、前記回転手段が回転可能な２軸以外の軸についての振れを主に補正することを特徴とする請求項６に記載の像ブレ補正装置。
【請求項８】
前記変更手段は、前記振れ検出手段の出力と前記回転手段の回転角度とに基づいて、像面上の像ブレ量の大きさを算出し、前記回転手段の回転角度と前記像面上の像ブレ量の大きさとに基づいて、前記像面上での縦横方向の像ブレの補正可能範囲と、前記像面上での回転方向の像ブレの補正可能範囲の割り当てを変更することを特徴とする請求項１乃至７のいずれか１項に記載の像ブレ補正装置。
【請求項９】
前記振れ検出手段は前記回転手段を保持する本体部に設置され、前記振れ検出手段の出力を、前記回転手段の回転角度に基づいて、前記保持手段の振れに変換する変換手段をさらに備えることを特徴とする請求項１乃至８のいずれか１項に記載の像ブレ補正装置。
【請求項１０】
前記撮像光学系の焦点距離の情報を検出する焦点距離検出手段をさらに備え、前記変更手段は、前記撮像光学系の焦点距離の大きさに基づいて、前記撮像手段の像面上での縦横方向の像ブレの補正可能範囲と、前記像面上での回転方向の像ブレの補正可能範囲との割り当てを変更することを特徴とする特徴とする請求項１乃至９のいずれか１項に記載の像ブレ補正装置。
【請求項１１】
被写体像を結像させる撮像光学系により結像された被写体像を撮像する撮像手段を保持する保持手段と、前記保持手段を２軸方向に回転させる回転手段とを備える像ブレ補正装置を制御する方法であって、
装置の振れを検出する振れ検出手段の出力と、前記回転手段を駆動することにより、装置の振れに起因する前記撮像手段の像面上での像ブレを補正する第１の像ブレ補正手段の動き量とに基づいて、前記第１の像ブレ補正手段により像ブレ補正を行った後の像ブレの補正残り量を算出する算出工程と、
前記第１の像ブレ補正手段とは異なる方法で前記像ブレの補正残り量を補正する第２の像ブレ補正手段により、前記像ブレの補正残り量を補正する工程と、
前記回転手段の回転角度と、前記像ブレの補正残り量とに基づいて、前記第２の像ブレ補正手段による、前記撮像手段の像面上での縦横方向の像ブレの補正可能範囲と、前記像面上での回転方向の像ブレの補正可能範囲との割り当てを変更する変更工程と、
を有することを特徴とする像ブレ補正装置の制御方法。
【請求項１２】
請求項１１に記載の制御方法の各工程をコンピュータに実行させるためのプログラム。
【請求項１３】
請求項１１に記載の制御方法の各工程をコンピュータに実行させるためのプログラムを記憶したコンピュータが読み取り可能な記憶媒体。
【手続補正書】
【提出日】令和2年4月9日(2020.4.9)
【手続補正１】
【補正対象書類名】特許請求の範囲
【補正対象項目名】全文
【補正方法】変更
【補正の内容】
【特許請求の範囲】
【請求項１】
物体側から像側へ順に、変倍のためには移動しない負の屈折力の第１レンズ群、広角端から望遠端への変倍に際して物体側に移動する正の屈折力の第２レンズ群、最も像側に配置され変倍のためには移動しない最終レンズ群を有し、
前記最終レンズ群は、Ｎｇ、ＮＦ、Ｎｄ、ＮＣをそれぞれｇ線、Ｆ線、ｄ線、Ｃ線に対する屈折率とするとき、−２．１００×１０-3×νｄｍ＋０．６９３＜θｇＦｍ
０．５５５＜θｇＦｍ＜０．９００
但し、νｄｍ＝（Ｎｄ−１）／（ＮＦ−ＮＣ）
θｇＦｍ＝（Ｎｇ−ＮＦ）／（ＮＦ−ＮＣ）
なる条件を満足する光学素子を含む、
ことを特徴とするズームレンズ。 
【請求項２】
前記光学素子の屈折力をφｎと前記最終レンズ群の屈折力をφｆとするとき
１．３＜｜φｎ／φｆ｜＜９．０
なる条件を満足することを特徴とする請求項１に記載のズームレンズ。
【請求項３】
１３＜νｄｍ＜３５
なる条件を満足することを特徴とする請求項１又は２に記載のズームレンズ。
【請求項４】
前記光学素子の光軸上での厚さの中心位置と結像面との距離をＤ、光学系の最大像高をＨとしたとき、
０．５＜Ｄ／Ｈ＜３．０
なる条件を満足することを特徴とする請求項１乃至３のいずれか１項に記載のズームレンズ。
【請求項５】
前記光学素子は、ガラス材料からなるレンズと接合されていることを特徴とする請求項１乃至４のいずれか１項に記載のズームレンズ。
【請求項６】
前記第１レンズ群はフォーカス調整に際して移動するレンズ群を含む、ことを特徴とする請求項１乃至５のいずれか１項に記載のズームレンズ。
【請求項７】
絞りを有し、
広角端における前記絞りから前記最終レンズ群の最も像側の面までの距離 をＩＤ、 バックフォーカスをＢＦとしたとき、
０．１５＜ＢＦ／ＩＤ＜０．９
なる条件を満足することを特徴とする請求項１乃至６のいずれか１項に記載のズームレンズ。
【請求項８】
請求項１乃至７のいずれか１項に記載のズームレンズと、前記ズームレンズによって形成した光学像を受光する撮像素子と、を有することを特徴とする撮像装置。
【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
軸部材と、
前記軸部材を保持する保持部と、複数の歯部を有するリム部と、を有するシリコンを含む材料を用いた回転部材と、を備え、
前記保持部は、前記リム部から前記軸部材に向かう方向に延在する第１保持部と、前記第１保持部から分岐して設けられた第２保持部と、を有し、
前記第２保持部は、前記第１保持部から前記回転部材の周方向に延在する第１部分と、前記第１部分から前記軸部材に向かう方向に延在する第２部分と、を備えることを特徴とする時計に用いられる機械部品。
【請求項２】
前記第２保持部は、複数の前記第１部分を有することを特徴とする請求項１に記載の時計に用いられる機械部品。
【請求項３】
前記第１保持部、前記第２保持部、及び前記リム部は、それぞれ同一の材料で形成されていることを特徴とする請求項１または請求項２に記載の時計に用いられる機械部品。
【請求項４】
前記軸部材は、前記第１保持部と嵌合する溝を有することを特徴とする請求項１から請求項３のいずれか一項に記載の時計に用いられる機械部品。
【請求項５】
前記軸部材は、歯車部を有し、
前記歯車部の隣り合う歯同士の間隔は、前記溝の幅と等しいことを特徴とする請求項４に記載の時計に用いられる機械部品。
【請求項６】
前記軸部材は、前記保持部に対して前記歯車部とは反対側に、前記保持部から遠ざかるにしたがって径が小さくなるように形成された第１テーパー部を有することを特徴とする請求項５に記載の時計に用いられる機械部品。
【請求項７】
前記軸部材は、前記保持部に対して前記歯車部側に、外側に突出するとともに前記第２保持部の前記歯車部側の面に当接する突出部を有し、
前記突出部と前記第１テーパー部との間に、前記突出部に近付くにしたがって径が小さくなるように形成された第２テーパー部を有することを特徴とする請求項６に記載の時計に用いられる機械部品。
【請求項８】
前記軸部材は、前記突出部と前記第１テーパー部との間に、前記第２保持部と嵌合する凹部を有し、
前記第２テーパー部は、前記凹部に設けられていることを特徴とする請求項７に記載の時計に用いられる機械部品。
【請求項９】
前記回転部材は、前記軸部材に接着材を介して固定されていることを特徴とする請求項１から請求項８のいずれか一項に記載の時計に用いられる機械部品。
【請求項１０】
前記軸部材に前記回転部材を固定する環状の固定部材を備えていることを特徴とする請求項１から請求項８のいずれか一項に記載の時計に用いられる機械部品。
【請求項１１】
請求項１から１０のいずれか一項に記載の時計に用いられる機械部品を備えたことを特徴とする時計。
【手続補正書】
【提出日】令和2年2月13日(2020.2.13)
【手続補正１】
【補正対象書類名】明細書
【補正対象項目名】００２０
【補正方法】変更
【補正の内容】
【００２０】
また、係合上方突片及び／又は係合下方突片は、補強プレートを設けたものであっても良い。この補強プレートにより、係合上方突片や係合下方突片の外側の係合受溝や係合凹溝の底部水平方向に対応する部分を更に破損しにくいものとすることができる。
【手続補正２】
【補正対象書類名】明細書
【補正対象項目名】００３７
【補正方法】変更
【補正の内容】
【００３７】
また従来一般的に使用されていた金属性のものと比較して、熱伝導率が低いため加熱調理中でも熱が伝わりにくく、やけど等の心配がない。また様々な色や模様を選択することができるため、背面パネル、第１、第２側方パネル、及びキッチンコンロ台のバックパネルに同色・同柄の不燃化粧板を使用すれば、統一性のあるキッチンデザインを実現させることができる。尚、本実施例では不燃化粧板としては、メラミン不燃化粧板を使用しているが、他の異なる実施例ではこれに限らずホーローや不燃メラミン化粧板等他の不燃化粧板を使用することも可能である。
【手続補正書】
【提出日】令和2年4月15日(2020.4.15)
【手続補正１】
【補正対象書類名】特許請求の範囲
【補正対象項目名】全文
【補正方法】変更
【補正の内容】
【特許請求の範囲】
【請求項１】
風向を変更するフラップと、
下方に位置する前記フラップを本体部に対して支持する支持部と、
前記フラップに固定されるとともに、前記支持部に形成された貫通穴に挿入されて該フラップを該貫通穴内で回動させる連結部材と、
を備え、
前記連結部材は、前記貫通穴に挿入されて外周が該貫通穴の内周に接触する下爪部および上爪部を有し、
前記下爪部は、前記上爪部よりも剛性が大きく、
前記下爪部の外周面は、１８０°に亘って形成された略円筒面とされていることを特徴とする空気調和装置の室内機。
【請求項２】
前記連結部材の回動中心から前記上爪部の外周面までの距離は、該回動中心から前記下爪部の外周面までの距離よりも大きいことを特徴とする請求項１に記載の空気調和装置の室内機。
【手続補正書】
【提出日】令和2年4月15日(2020.4.15)
【手続補正１】
【補正対象書類名】特許請求の範囲
【補正対象項目名】請求項１
【補正方法】変更
【補正の内容】
【請求項１】
一方向に所定間隔を有して並べられ、風向を変更する複数のルーバと、
前記一方向に延在するとともに各前記ルーバが回動自在に取り付けられ、長手方向に往復動する連結部材と、
前記連結部材に対して回動自在に取り付けられたリンク部材と、
該リンク部材を揺動させるモータと、
該モータを本体に対して固定するモータブラケットと、
該モータブラケットに設けられ、前記連結部材の先端に当接するストッパと、
を備えていることを特徴とする空気調和装置の室内機。
【手続補正２】
【補正対象書類名】明細書
【補正対象項目名】０００７
【補正方法】変更
【補正の内容】
【０００７】
上記課題を解決するために、本発明の空気調和装置の室内機は以下の手段を採用する。
すなわち、本発明にかかる空気調和装置の室内機は、一方向に所定間隔を有して並べられ、風向を変更する複数のルーバと、前記一方向に延在するとともに各前記ルーバが回動自在に取り付けられ、長手方向に往復動する連結部材と、前記連結部材に対して回動自在に取り付けられたリンク部材と、該リンク部材を揺動させるモータと、該モータを本体に対して固定するモータブラケットと、該モータブラケットに設けられ、前記連結部材の先端に当接するストッパとを備えていることを特徴とする。
【手続補正書】
【提出日】令和2年4月13日(2020.4.13)
【手続補正１】
【補正対象書類名】特許請求の範囲
【補正対象項目名】全文
【補正方法】変更
【補正の内容】
【特許請求の範囲】
【請求項１】
光源からの複数の光線を被照射面に導光する導光体と、
前記被照射面からの光線を受光する撮像素子と、
前記被照射面からの光線を前記撮像素子に集光する光学系とを備える判別装置であって、
前記被照射面に平行な第１の断面に投影されたとき、前記導光体から出射して前記被照射面における第１の有効領域に入射する複数の第１の光線が互いになす角度は７°以下であり、
前記複数の第１の光線の前記被照射面に対する入射角の平均値は７０°以上であることを特徴とする判別装置。
【請求項２】
前記撮像素子の出力に基づいて、前記被照射面に配置された物体を判別する判別部を備えていることを特徴とする請求項１に記載の判別装置。
【請求項３】
前記第１の断面に投影されたとき、前記導光体から出射して前記被照射面における第２の有効領域に入射する複数の第２の光線が互いになす角度は、７°以下であることを特徴とする請求項１または２に記載の判別装置。
【請求項４】
前記第１の断面に投影されたとき、前記複数の第１の光線の前記被照射面に対する入射角の平均値と前記複数の第２の光線の前記被照射面に対する入射角の平均値との差は、８０°以上１１０°以下であることを特徴とする請求項３に記載の判別装置。
【請求項５】
前記撮像素子は、前記被照射面に平行な第１の方向に配列された複数の光電変換素子を含むことを特徴とする請求項３または４に記載の判別装置。
【請求項６】
前記第１の断面に投影されたとき、前記複数の第１の光線の夫々の前記被照射面に対する入射方向と前記第１の方向とが互いになす角度の平均値は、３５°以上５５°以下であることを特徴とする請求項５に記載の判別装置。
【請求項７】
前記第１の断面に投影されたとき、前記複数の第２の光線の夫々の前記被照射面に対する入射方向と前記第１の方向とが互いになす角度の平均値は、１２５°以上１４５°以下であることを特徴とする請求項５または６に記載の判別装置。
【請求項８】
前記導光体は、凹形状の反射面を含むことを特徴とする請求項１乃至７のいずれか一項に記載の判別装置。
【請求項９】
前記反射面は、光線を全反射させることを特徴とする請求項８に記載の判別装置。
【請求項１０】
前記反射面は、前記導光体における前記被照射面に最も近い光学面よりも前記光源の側に配置されていることを特徴とする請求項８または９に記載の判別装置。
【請求項１１】
前記導光体における前記被照射面に最も近い光学面は、平面であることを特徴とする請求項１乃至１０のいずれか一項に記載の判別装置。
【請求項１２】
前記反射面は、前記導光体における前記被照射面に最も近い光学面であることを特徴とする請求項８または９に記載の判別装置。
【請求項１３】
前記導光体は、光線を規制する光学面を含むことを特徴とする請求項１乃至１２のいずれか一項に記載の判別装置。
【請求項１４】
前記複数の第１の光線の夫々の前記被照射面に対する入射方向と前記被照射面の法線とのなす角度の差は、６°以下であることを特徴とする請求項１乃至１３のいずれか一項に記載の判別装置。
【請求項１５】
請求項１乃至１４のいずれか一項に記載の判別装置と、感光面に静電潜像を形成する露光装置と、前記静電潜像をトナー像として現像する現像器と、現像された前記トナー像を被転写材に転写する転写器と、転写された前記トナー像を前記被転写材に定着させる定着器とを備えることを特徴とする画像形成装置。
【請求項１６】
前記判別装置の判別結果に応じて、画像形成条件を設定する制御部を備えることを特徴とする請求項１５に記載の画像形成装置。
【請求項１７】
前記被転写材の前記トナー像が転写される表面は、前記第１の有効領域を含み、
前記第１の断面に投影されたとき、前記複数の第１の光線の夫々の前記被照射面に対する入射方向と前記被転写材の搬送方向とが互いになす角度の平均値は、３５°以上５５°以下であることを特徴とする請求項１５または１６に記載の画像形成装置。
【手続補正２】
【補正対象書類名】明細書
【補正対象項目名】０００５
【補正方法】変更
【補正の内容】
【０００５】
本発明に係る判別装置は、光源からの複数の光線を被照射面に導光する導光体と、被照射面からの光線を受光する撮像素子と、被照射面からの光線を撮像素子に集光する光学系とを備える判別装置であって、被照射面に平行な第１の断面に投影されたとき、導光体から出射して被照射面における第１の有効領域に入射する複数の第１の光線が互いになす角度は７°以下であり、複数の第１の光線の被照射面に対する入射角の平均値は７０°以上であることを特徴とする。
【手続補正３】
【補正対象書類名】明細書
【補正対象項目名】００１６
【補正方法】変更
【補正の内容】
【００１６】
図１（ａ）及び（ｃ）に示されているように、光源５１から出射した複数の光線は、導光体５２の入射面５２ａを通過し、反射面５２ｂによって反射され、左側曲面反射面５２ｃ及び右側曲面反射面５２ｄそれぞれに入射する。
そして、左側曲面反射面５２ｃ及び右側曲面反射面５２ｄそれぞれに入射した複数の光線は、反射されることによって、それぞれの少なくとも一部が少なくとも記録材Ｐに平行な第１の断面内において（第１の断面内に投影されたとき）互いに略平行になる。そして、互いに略平行になった複数の光線は、出射面５２ｅから出射して、被照射面上に存在する記録材Ｐに照射される。
なお、本実施形態に係る判別装置５０では、記録材Ｐへの複数の光線の各入射方向と記録材Ｐの面法線との角度θの平均値を７５°程度の浅い角度とすることで、記録材Ｐの表面の凹凸による陰影を強調し、記録材の種類の判別精度を向上させている。
【手続補正４】
【補正対象書類名】明細書
【補正対象項目名】００６２
【補正方法】変更
【補正の内容】
【００６２】
また、本実施形態に係る判別装置５０が備える導光体４２では、被照射面へ入射する照明光線の光路上における光学面として、光源側から被照射面側へ順に、入射面５２ａ、反射面５２ｂ、左側曲面反射面５２ｃ又は右側曲面反射面５２ｄ、及び出射面５２ｅを備えている。
従って、複数の入射光線を互いに略平行にする面（すなわち、左側曲面反射面５２ｃ及び右側曲面反射面５２ｄ）は、導光体４２において被照射面に最も近い光学面よりも光源５１の側、具体的には被照射面側から数えて２番目に設けられている。
これにより、光源５１から離れた位置で複数の入射光線を互いに略平行にすることができ、照明範囲を広くすることができる。
また、これに限られず、導光体４２において被照射面に最も近い光学面を、複数の入射光線を互いに略平行にする面にしても構わない。